(57)【要約】【課題】大腿骨近位部骨折の手術に於いて，支持プレ−トを使うタイプで無く，髄内釘使用するタイプの，内固定材料の工夫で，大腿骨骨頭の穿孔を防ぐ為に，スライディングネイルのスクリュ−刃を取り除き，穿孔を起こし難くした。スライディングネイルの脱落を防ぐ為に，スプリングコイルを使い，スプリングコイルを内に入れるスライディングネイルを提供する。【解決手段】スライディングネイル（１）内にスプリングコイル（２）を入れた，骨折内固定材料を，特徴とする。【選択図】図１
2009018143.tif 000002
【特許請求の範囲】
【請求項１】
スライディングネイル（１）内に，コイルスプリング（２）を設けた，髄内釘型大腿骨近位部骨折内固定材料
【発明の詳細な説明】
【技術分野】
【０００１】  この発明は，スライディングネイル内に，コイルスプリングを設けた，骨折内固定材料に，関するものである。
【背景技術】
【０００２】  従来，スライディングネイルには，ねじ等が付けてありスプリングは，付いて居なかった。
【発明の開示】
【発明が解決しようとする課題】
【０００３】  これは、次の様な、欠点が在った。
従来は，スライディングネイル先にはスクリュ−刃が付けて在る為に，刃が骨を突き破る事が在った。
本発明は，以上のような欠点をなくすためになされたものである。
【課題を解決するための手段】
【０００４】  スライディングネイル（１）の尾側（５）から，コイルスプリング（２）を入れる。次いで，固定用ピン（３）を入れて，ノッチが髄内釘の内腔に入りスライディングネイル（１）は，コイルスプリング（２）及び固定用ピン（３）により支えられる為に，滑落する恐れが無くなる。
本発明は、以上の構成よりなるスライディングネイルである。
【発明の効果】
【０００５】  スライディングネイル先に，スクリュ−刃を付け無くても良く成り，骨を突き破る事が，少なくなる。
【発明を実施するための最良の形態】
【０００６】  以下，本発明を実施するための最良の形態について説明する。
大腿骨の大転子内則（８）から髄内釘（６）を大腿骨の髄腔内（９）に入れ，ついで，大腿骨側面（１０）より，スライディングネイル（１）の頭部（４）を入れる。
更に，髄内釘（６）の開けてある穴（７）を通し  骨頭（１１）に到達させる。
ついでコイルスプリング（２）をスライディングネイル（１）の尾側（５）から入れる。コイルスプリング（２）を全て挿入して，そのコイルスプリング（２）を押し込みながら，髄内釘に引っ掛ける為のノッチの付いた，バネ作用の在る固定用ピン（３）をスライディングネイル（１）の尾部（５）から入れ，コイルスプリング（２）を押さえ込む。固定用ピン（３）のノッチが，髄内釘の内腔に入り，内腔の部分で，ノッチが上がり，固定される所迄入れる。将来，取り出す時には、ピンをつまむ，とか，ピンの見えている部分を押し下げる等してノッチを下げ，固定を外す。もしもノッチが下がらない時には，大転子（８）の場所近くの，髄内釘（６）の開いて居る．大転子（８）近くの場所から，棒を入れてノッチを，押し下げる事もできる。こうしてノッチを，引っ掛かりから開放して，ピンを取り外す。以上により器具を除去できる。
これを使用するとスクリュ−刃等が無くても，骨頭（１１）からスライディングネイル（１）が脱落する事が無い。
【図面の簡単な説明】
【０００７】
【図１】本発明の側面構造図である。
【図２】本発明の平面構造図である。
【図３】本発明の側面の透視図である。
【図４】本発明の平面の透視図である。
【図５】本発明のスライディングネイル（１）の，平面図である。
【図６】本発明のスライディングネイル（１）の，側面図である。
【図７】本発明のスライディングネイル（１）の，平面構造図である。
【図８】本発明のスライディングネイル（１）の，側面構造図である。
【図９】本発明のスライディングネイル（１）の，尾部断面図である。
【図１０】本発明のノッチの付いた，バネ作用のある固定用ピン（３）の側面図である。
【図１１】本発明のノッチの付いた，バネ作用のある固定用ピン（３）をノッチを，押し下げた状態の固定用ピン（３）の側面図である。
【図１２】本発明のノッチの付いたバネ作用のある固定用ピン（３）の断面図である。
【図１３】本発明のノッチの付いたバネ作用のある固定用ピン（３）のノッチを，押し下げた状態の固定用ピン（３）の断面図である
【図１４】本発明のノッチの付いた，バネ作用のある固定用ピン（３）を，スライディングネイル（１）の尾部（５）に入れた，断面図である。
【図１５】本発明のスライデングネイル（１）に入れる，コイルスプリング（２）の側面図である。
【図１６】本発明のスライデングネイル（１）に入れる，コイルスプリング（２）の断面図である。
【符号の説明】
【０００８】１    スライディングネイル
２    コイルスプリング
３    固定用ピン
４    スライディングネイルの頭部
５    スライディングネイルの尾部
６    髄内釘
７    髄内釘の側面に開けて在る穴
８    大腿骨大転子
９    大腿骨髓腔内
１０  大腿骨側面
１１  大腿骨骨頭
【図１】
2009018143.tif 000003
【図２】
2009018143.tif 000004
【図３】
2009018143.tif 000005
【図４】
2009018143.tif 000006
【図５】
2009018143.tif 000007
【図６】
2009018143.tif 000008
【図７】
2009018143.tif 000009
【図８】
2009018143.tif 000010
【図９】
2009018143.tif 000011
【図１０】
2009018143.tif 000012
【図１１】
2009018143.tif 000013
【図１２】
2009018143.tif 000014
【図１３】
2009018143.tif 000015
【図１４】
2009018143.tif 000016
【図１５】
2009018143.tif 000017
【図１６】
2009018143.tif 000018
【手続補正書】
【提出日】平成19年8月18日(2007.8.18)
【手続補正１】
【補正対象書類名】明細書
【補正対象項目名】全文
【補正方法】変更
【補正の内容】
【発明の詳細な説明】
【技術分野】
【０００１】  この発明は，スライディングネイル内に，コイルスプリングを設けた，骨折内固定材料に，関するものである。
【背景技術】
【０００２】  従来，スライディングネイルには，ねじ等が付けてありスプリングは，付いて居なかった。
【発明の開示】
【発明が解決しようとする課題】
【０００３】  これは、次の様な、欠点が在った。
従来は，スライディングネイル先にはスクリュ−刃が付けて在る為に，刃が骨を突き破る事が在った。
本発明は，以上のような欠点をなくすためになされたものである。
【課題を解決するための手段】
【０００４】  スライディングネイル（１）の尾側（５）から，コイルスプリング（２）を入れる。次いで，固定用ピン（３）を入れて，ノッチが髄内釘の内腔に入りスライディングネイル（１）は，コイルスプリング（２）及び固定用ピン（３）により支えられる為に，滑落する恐れが無くなる。
本発明は、以上の構成よりなるスライディングネイルである。
【発明の効果】
【０００５】  スライディングネイル先に，スクリュ−刃を付け無くても良く成り，骨を突き破る事が，少なくなる。
【発明を実施するための最良の形態】
【０００６】  以下，本発明を実施するための最良の形態について説明する。
大腿骨の大転子内則（８）から髄内釘（６）を大腿骨の髄腔内（９）に入れ，
ついで，大腿骨側面（１０）より，スライディングネイル（１）の頭部（４）を入れる。
更に，髄内釘（６）の開けてある穴（７）を通し  骨頭（１１）に到達させる。
ついでコイルスプリング（２）をスライディングネイル（１）の尾側（５）から入れる。コイルスプリング（２）を全て挿入して，
そのコイルスプリング（２）を押し込みながら，髄内釘に引っ掛ける為のノッチの付いた，バネ作用の在る固定用ピン（３）をスライディングネイル（１）の尾部（５）から入れ，コイルスプリング（２）を押さえ込む。固定用ピン（３）のノッチが，髄内釘の内腔に入り，内腔の部分で，ノッチが上がり，固定される所迄入れる。将来，取り出す時には、ピンをつまむ，とか，ピンの見えている部分を押し下げる等してノッチを下げ，固定を外す。もしもノッチが下がらない時には，大転子（８）の場所近くの，髄内釘（６）の開いて居る．大転子（８）近くの場所から，棒を入れてノッチを，押し下げる事もできる。こうしてノッチを，引っ掛かりから開放して，ピンを取り外す。以上により器具を除去できる。
これを使用するとスクリュ−刃等が無くても，骨頭（１１）からスライディングネイル（１）が脱落する事が無い。
【図面の簡単な説明】
【０００７】
【図１】  本発明の側面構造図である。
【図２】  本発明の平面構造図である。
【図３】  本発明の側面の透視図である。
【図４】  本発明の平面の透視図である。
【図５】  本発明のスライディングネイル（１）の，平面図である。
【図６】  本発明のスライディングネイル（１）の，側面図である。
【図７】  本発明のスライディングネイル（１）の，平面構造図である。
【図８】  本発明のスライディングネイル（１）の，側面構造図である。
【図９】  本発明のスライディングネイル（１）の，尾部断面図である。
【図１０】  本発明のノッチの付いた，バネ作用のある固定用ピン（３）の側面図である。
【図１１】  本発明のノッチの付いた，バネ作用のある固定用ピン（３）をノッチを，押し下げた状態の固定用ピン（３）の側面図である。
【図１２】  本発明のノッチの付いたバネ作用のある固定用ピン（３）の断面図である。
【図１３】  本発明のノッチの付いたバネ作用のある固定用ピン（３）のノッチを，押し下げた状態の固定用ピン（３）の断面図である
【図１４】  本発明のノッチの付いた，バネ作用のある固定用ピン（３）を，スライディングネイル（１）の尾部（５）に入れた，断面図である。
【図１５】  本発明のスライデングネイル（１）に入れる，コイルスプリング（２）の側面図である。
【図１６】  本発明のスライデングネイル（１）に入れる，コイルスプリング（２）の断面図である。
【符号の説明】
【０００８】  １    スライディングネイル
２    コイルスプリング
３    固定用ピン
４    スライディングネイルの頭部
５    スライディングネイルの尾部
６    髄内釘
７    髄内釘の側面に開けて在る穴
８    大腿骨大転子
９    大腿骨髓腔内
１０  大腿骨側面
１１  大腿骨骨頭
１２  スライディングネイルに固定用ピンをはめる為のスリット
【手続補正２】
【補正対象書類名】図面
【補正対象項目名】全図
【補正方法】変更
【補正の内容】
【図１】
2009018143.tif 000019
【図２】
2009018143.tif 000020
【図３】
2009018143.tif 000021
【図４】
2009018143.tif 000022
【図５】
2009018143.tif 000023
【図６】
2009018143.tif 000024
【図７】
2009018143.tif 000025
【図８】
2009018143.tif 000026
【図９】
2009018143.tif 000027
【図１０】
2009018143.tif 000028
【図１１】
2009018143.tif 000029
【図１２】
2009018143.tif 000030
【図１３】
2009018143.tif 000031
【図１４】
2009018143.tif 000032
【図１５】
2009018143.tif 000033
【図１６】
2009018143.tif 000034